(57)【特許請求の範囲】
【請求項１】
画像形成のため、無端移動可能なベルト状部材と、
該ベルト状部材を支持する複数のベルト支持体と、
該ベルト状部材に接触した状態で所定の画像形成のための動作を行う画像形成用部材とを有する画像形成装置において、
上記複数のベルト支持体間における上記ベルト状部材の展張部の上記画像形成用部材に対向する面で該ベルト状部材を支持する可動の支持部材を設け、該支持部材を３つの位置に変位させることにより、該ベルト状部材が所定の張力を持って上記画像形成用部材に接触する状態と、該ベルト状部材を上記画像形成用部材から離間した状態と、該ベルト状部材に、該ベルト状部材が該ベルト支持体から取り外せる程度に弛みを持たせた状態とを選択的に取り得るように、上記ベルト状部材の状態を変化させる状態変化手段を設けたことを特徴とする画像形成装置。
【請求項２】
請求項１の画像形成装置において、
上記ベルト状部材を上記画像形成用部材から離間したときに、該ベルト状部材の張力を、上記所定の張力よりも小さく、かつ、該ベルト状部材が該支持体から離脱しない程度の張力に設定するように、上記状態変化手段を構成したことを特徴とする画像形成装置。
【請求項３】
請求項１又は２の画像形成装置において、
上記画像形成用部材として、表面にトナー像を担持する像担持体を用い、
上記ベルト状部材として上記像担持体からのトナー像の転写が行われる転写体を用い、
上記ベルト支持体として転写体支持体を用いたことを特徴とする画像形成装置。
【請求項４】
無端移動可能なベルト状の転写体と、
該転写体を支持する複数の転写体支持体とを有し、
所定の張力を持って像担持体に接した状態で該像担持体からのトナー像の転写を行う転写装置において、
上記複数の転写体支持体間における上記転写体の展張部の上記像担持体に対向する面で該転写体を支持する可動の支持部材を設け、該支持部材を３つの位置に変位させることにより、該転写体が所定の張力を持つ状態と、該転写体を上記像担持体から離間した状態と、該転写体に、該転写体が該転写体支持体から取り外せる程度に弛みを持たせた状態とを選択的に取り得るように、上記転写体の状態を変化させる状態変化手段を設けたことを特徴とする転写装置。
【請求項５】
請求項４の転写装置において、
上記転写体を上記像担持体から離間したときに、該転写体の張力を、上記所定の張力よりも小さく、かつ、該転写体が該支持体から離脱しない程度の張力に設定するように、上記状態変化手段を構成したことを特徴とする転写装置。
【発明の詳細な説明】
【０００１】
【発明の属する技術分野】
本発明は、複写機、ファクシミリ、プリンター等の画像形成装置及び該画像形成装置に用いられる転写装置に関するものである。
【０００２】
【従来の技術】
従来、この種の画像形成装置としては、像担持体である感光体上に静電潜像を形成し、帯電したトナーにより顕像化する画像形成装置が知られている。さらに、感光体上のトナー像を、転写電界の下で直接最終的な転写材である転写紙に転写したり、又は転写電界の下で一旦中間的な転写材である中間転写体に転写した後に、最終的な転写材である転写紙に転写するものが知られている。
【０００３】
更に、無端移動可能な転写体としての転写ベルトと、該転写ベルトを支持する複数の転写体支持体としての支持ローラとを有し、所定の張力を持って像担持体に接した状態で該像担持体からのトナー像の転写を行う転写装置を有する画像形成装置も知られている。
【０００４】
上記構成の画像形成装置において、例えば転写ベルトの寿命が来たときなどに転写ベルトの交換を行う場合には、該ベルトを取り外すために、上記張力をゆるめる必要がある。ところが、従来ベルトの張力をゆるめるためには、上記複数の支持ローラのうちの所定のローラを取り外していた。すなわち、転写ベルトの交換の際には、まず上記所定のローラを取り外し、ベルトを交換した後に、前記取り外したローラを再度装着するということを行っていた。このため、操作性が悪く、かつ、上記一旦取り外したローラを再度装着する際の位置精度が悪く、ベルトの脱着の前後でベルトの張力が変化してしまうという問題点があった。
また、上記転写ベルトの張力をゆるめるための張力解除機構を設けた構成も知られている。この構成によれば、上記ベルトの脱着の前後でベルトの張力が変化してしまうことはない。
【０００５】
また、上記構成の画像形成装置の転写装置において、上記ベルトが所定の張力を持って接している像担持体としての感光体を交換等のために本体装置に脱着する際や転写装置を本体装置に脱着する際などには、該感光体からベルトを離間する必要がある。従来の装置においては、上記感光体に対して転写ベルトを接離する接離機構を設け、該機構により転写ベルトを感光体から離間させて上記脱着動作を行っていた。
【０００６】
【発明が解決しようとする課題】
ところが、上記構成の画像形成装置の転写装置において、上記張力解除機構と上記接離機構とをそれぞれ設けると、装置が大型化、複雑化するという問題点があった。
【０００７】
このような問題点は、転写装置の場合のみならず、画像形成のため、無端移動可能なベルト状部材と、該ベルト状部材を支持する３以上のベルト支持体と、該ベルト状部材に接触した状態で所定の画像形成のための動作を行う画像形成用部材とを有する画像形成装置であれば発生しうるものである。
【０００８】
本発明は以上の問題点に鑑みなされたものであり、その目的とするところは、装置の小型化、簡素化が可能な画像形成装置及び転写装置を提供することである。
【０００９】
【課題を解決するための手段】
上記目的を達成するために、請求項１の発明は、画像形成のため、無端移動可能なベルト状部材と、該ベルト状部材を支持する複数のベルト支持体と、該ベルト状部材に接触した状態で所定の画像形成のための動作を行う画像形成用部材とを有する画像形成装置において、上記複数のベルト支持体間における上記ベルト状部材の展張部の上記画像形成用部材に対向する面で該ベルト状部材を支持する可動の支持部材を設け、該支持部材を３つの位置に変位させることにより、該ベルト状部材が所定の張力を持って上記画像形成用部材に接触する状態と、該ベルト状部材を上記画像形成用部材から離間した状態と、該ベルト状部材に、該ベルト状部材が該ベルト支持体から取り外せる程度に弛みを持たせた状態とを選択的に取り得るように、上記ベルト状部材の状態を変化させる状態変化手段を設けたことを特徴とするものである。
【００１０】
この画像形成装置においては、上記状態変化手段により、上記ベルト状部材の上記複数のベルト支持体間における展張部の上記画像形成用部材に対向する面で該ベルト状部材を支持する可動の支持部材を３つの位置に変位させることによって、上記ベルト状部材が上記所定の張力を持って上記画像形成用部材に接触する状態と、該ベルト状部材を上記画像形成用部材から離間した状態と、該ベルト状部材に、該ベルト状部材が該支持体から取り外せる程度に弛みを持たせた状態との３つの状態を選択的に取り得る。
【００１１】
請求項２の発明は、請求項１の画像形成装置において、上記ベルト状部材を上記画像形成用部材から離間したときに、該ベルト状部材の張力を、上記所定の張力よりも小さく、かつ、該ベルト状部材が該支持体から離脱しない程度の張力に設定するように、上記状態変化手段を構成したことを特徴とするものである。
【００１２】
この画像形成装置においては、上記状態変化手段により、上記ベルト状部材を上記画像形成用部材から離間したときに、該ベルト状部材の張力を、上記所定の張力よりも小さく、かつ、該ベルト状部材が該支持体から離脱しない程度の張力に設定する。
【００１３】
請求項３の発明は、請求項１又は２の画像形成装置において、上記画像形成用部材として、表面にトナー像を担持する像担持体を用い、上記ベルト状部材として上記像担持体からのトナー像の転写が行われる転写体を用い、上記ベルト支持体として転写体支持体を用いたことを特徴とするものである。
【００１４】
この画像形成装置においては、上記状態変化手段により、上記可動の支持部材を３つの位置に変位させて、上記像担持体からのトナー像の転写が行われる転写体の状態を、上記３つの状態に選択的に変化させることができる。
【００１５】
請求項４の発明は、無端移動可能なベルト状の転写体と、該転写体を支持する複数の転写体支持体とを有し、所定の張力を持って像担持体に接した状態で該像担持体からのトナー像の転写を行う転写装置において、上記複数の転写体支持体間における上記転写体の展張部の上記像担持体に対向する面で該転写体を支持する可動の支持部材を設け、該支持部材を３つの位置に変位させることにより、該転写体が所定の張力を持つ状態と、該転写体を上記像担持体から離間した状態と、該転写体に、該転写体が該転写体支持体から取り外せる程度に弛みを持たせた状態とを選択的に取り得るように、上記転写体の状態を変化させる状態変化手段を設けたことを特徴とするものである。
【００１６】
この転写装置においては、上記状態変化手段により、上記複数の転写体支持体間における上記転写体の展張部の上記像担持体に対向する面で該転写体を支持する可動の支持部材を３つの位置に変位させることによって、上記転写体が上記所定の張力を持って上記像担持体に接触する状態と、該転写体を上記像担持体から離間した状態と、該転写体に、該転写体が該支持体から取り外せる程度に弛みを持たせた状態との３つの状態を選択的に取り得る。
【００１７】
請求項５の発明は、請求項４の転写装置において、上記転写体を上記像担持体から離間したときに、該転写体の張力を、上記所定の張力よりも小さく、かつ、該転写体が該支持体から離脱しない程度の張力に設定するように、上記状態変化手段を構成したことを特徴とするものである。
【００１８】
この転写装置においては、上記状態変化手段により、上記転写体を上記像担持体から離間したときに、該転写体の張力を、上記所定の張力よりも小さく、かつ、該転写体が該支持体から離脱しない程度の張力に設定する。
【００１９】
【発明の実施の形態】
以下、本発明を画像形成装置である電子写真式カラー複写機（以下、「カラー複写機」という）に適用した実施形態について説明する。
【００２０】
まず、図４を用いて、上記カラー複写機の主要部である画像形成部の概略構成及びその動作について説明する。このカラー複写機は、図４に示す画像形成部のほか、図示しないカラー画像読取部（以下、カラースキャナという）、給紙部及び制御部等で構成されている。上記画像形成部は、画像形成用部材である像担持体としての感光体ドラム１００、帯電チャージャ２００、クリーニングブレード及びファーブラシからなる感光体クリーニング装置３００、図示しない書き込み光学ユニット、リボルバ現像ユニット４００、中間転写装置としての中間転写ユニット５００、紙転写ユニット６００、及び定着ローラ対７０１を用いた定着ユニット等で構成されている。
【００２１】
上記感光体ドラム１００は図示しない駆動モータで矢印の反時計方向に回転され、その周りには、帯電チャージャ２００、感光体クリーニング装置３００、リボルバ現像ユニット４００の選択された現像器、中間転写ユニット５００の中間転写体としての中間転写ベルト５０１等が配置されている。
【００２２】
上記リボルバ現像ユニット４００は、Ｂｋ（Ｂｌａｃｋ）トナーを用いるＢｋ現像器４０１、Ｃ（Ｃｙａｎ）トナーを用いるＣ現像器４０２、Ｍ（Ｍａｚｅｎｎｔａ）トナーを用いるＭ現像器４０３、Ｙ（Ｙｅｌｌｏｗ）トナーを用いるＹ現像器４０４、及びユニット全体を反時計回りに回転させる図示しない現像リボルバ駆動部などで構成されている。各現像器内のトナーはキャリアとの撹拌によって所望の極性に帯電され、また、各現像スリーブには図示しない現像バイアス電源によって現像バイアス電圧が印加され、現像スリーブが感光体ドラム１００の金属基体層に対して所定電位にバイアスされる。
【００２３】
上記中間転写ユニット５００は、転写体支持体として機能する複数のローラに張架された中間転写体としての中間転写ベルト５０１等で構成され、この中間転写ベルト５０１の周りに、２次転写電荷付与手段としての２次転写バイアスローラ６０５、中間転写体クリーニング手段としてのベルトクリーニングブレード５０４、潤滑剤塗布手段としての潤滑剤塗布ブラシ５０５等が対向するように配設されている。
【００２４】
上記中間転写ベルト５０１は、上記複数のローラ、具体的には、１次転写電荷付与手段としての１次転写バイアスローラ５０７、クリーニング対向ローラを兼用したベルト駆動ローラ５０８、ベルトテンションローラ５０９、２次転写対向ローラ５１０、及び１次転写前除電手段としてのベルト除電ローラ５１２に張架されている。各ローラは導電性材料で形成され、１次転写バイアスローラ５０７以外の各ローラは接地されている。１次転写バイアスローラ５０７には、定電流又は定電圧方式で制御された１次転写電源８０１により、所定の大きさの電流又は電圧の転写バイアスが印加される。また、中間転写ベルト５０１は、図示しない駆動モータで回転駆動されたベルト駆動ローラ５０８により、矢印時計方向に駆動される。
【００２５】
感光体ドラム１００上のトナー像を中間転写ベルト５０１に転写する転写部（以下、「１次転写部」という）では、１次転写バイアスローラ５０７及び１次転写前除電手段としてのベルト除電ローラ５１２で中間転写ベルト５０１を感光体ドラム１００側に押し当てるように張架することにより、感光体ドラム１００と中間転写ベルト５０１との間に所定幅のニップ部を形成している。また、このニップ部の中間転写ベルト５０１の内周面には、１次転写部除電手段としての接地したベルト除電ブラシ５１３が当接されている。
【００２６】
上記ベルトクリーニングブレード５０４は、クリーニング対向ローラ兼用のベルト駆動ローラ５０８にかけ回されている部分の中間転写ベルト５０１に対して、カウンター方式で当接されている。
【００２７】
上記ベルトクリーニングブレード５０４及び潤滑剤塗布ブラシ５０５は、中間転写ベルト５０１に対して離接可能に構成され、所定のタイミングで中間転写ベルト５０１に接触するように制御される。
００２４】
上記２次転写バイアスローラ６０５は、２次転写対向ローラ５１０との間に中間転写ベルト５０１及び転写紙を挾持するように配設され、定電流制御された２次転写電源８０２で所定電流の転写バイアスが印加される。
【００２８】
以上の構成のカラー複写機において、例えば４色フルカラーコピー動作が開始されると、感光体ドラム１００が帯電チャージャ２００で負極性に一様帯電され、書き込み光学ユニットで露光され、所定のタイミングに現像位置に移動された現像器で静電潜像が現像されることにより、感光体ドラム１００上にＢｋトナー像、Ｃトナー像、Ｍトナー像、Ｙトナー像が順番に形成される。この感光体ドラム１００上の各トナー像は、１次転写部において、中間転写ベルト５０１の同一面に重ね合わせて転写される。なお、トナー像を転写した後の感光体ドラム１００の表面に残留している若干の未転写残留トナーは、上記感光体クリーニング装置３００で清掃される。
【００２９】
上記中間転写ベルト５０１上の４色重ねトナー像は、２次転写対向ローラ５１０及び２次転写バイアスローラ６０５によりニップ部が形成された２次転写部において、図示しない給紙部から給送されてきた転写材としての転写紙に一括転写される。  そして、この４色重ねトナー像が転写された転写紙は、定着ローラ対７０１で定着された後、図示しない排紙部に排出される。
【００３０】
一方、転写紙にトナー像を転写した後の中間転写ベルト５０１の表面に残留したトナーは、図示しない接離機構で中間転写ベルト５０１に当接されたベルトクリーニングブレード５０４によってクリーニングされる。
【００３１】
以上は、４色フルカラーコピーの場合であるが、３色カラーコピー、２色カラーコピーの場合は、指定された色と回数の分について、上記同様の動作を行うことになる。また、モノカラーコピーの場合は、所定枚数が終了するまでの間、リボルバ現像ユニット４００の所定色の現像器のみを現像作動状態にして、ベルトクリーニングブレード５０４を中間転写ベルト５０１に押圧させた状態のまま連続してコピー動作を行う。
【００３２】
次に、本実施形態に係る中間転写ユニット５００における中間転写ベルトの状態を変化させる動作について図１乃至図３を用いて説明する。図１乃至図３は、該中間転写ユニット５００における中間転写ベルトの状態を変化させる動作について説明するための断面図である。該中間転写ユニット５００は、装置手前側の面板５１４を介して装置本体に固定されている。この中間転写ユニットにおいて、状態変化手段としての張力可変機構は、カム軸５１５ａと、該カム軸を中心に回動可能なカム５１５と、可動な支持部材としての１次転写バイアスローラ５０７とベルト除電ローラ５１２とを保持した状態で、軸５１６を中心に揺動可能なテンションブラケット５１７などを有している。また、上記カム軸５１５ａの装置手前側の軸端には、オペレータがベルト脱着の際に上記張力可変機構を操作するためのレバー５１８が取り付けられている。該レバー５１８は上記面板５１４よりも装置手前側に位置し、該レバー５１８を逃げるための孔５１４ａが該面板５１４に設けられている。図５は、該レバー５１８の説明図である。図中矢印方向が装置手前方向である。オペレータは該レバー５１８の取っ手部５１８ａを握って操作する。該レバー５１８は、カム軸５１５ａを中心に揺動可能であると共に、図中矢印Ａ方向に揺動可能に構成されている。そして、オペレータが該カム軸５１５ａを中心に該レバー５１８を回転させることにより、上記張力可変機構を操作可能な構成となっている。また、レバー５１８の所定の箇所には、開口部５１８ｂが設けられていて、該開口部５１８ｂが面板５１４に設けられたピン５１９ａ又は中間転写ユニットの前側板に設けられたピン５１９ｂに係合されて固定されることにより、後述のように中間転写ユニットの状態を固定することが可能に構成されている。
【００３３】
そして、この中間転写ユニットは、上記張力可変機構により、図１に示す第１の状態と、図２に示す第２の状態と、図３に示す第３の状態とを選択的に取り得るように構成されている。以下、各状態について説明する。
（以下、余白）
【００３４】
この複写機の出荷前の長期間の放置時や、中間転写ユニット又は感光体ドラム１００を複写機本体から脱着する際には、該中間転写ユニットは図１に示す第１の状態にする。該第１の状態においては、中間転写ユニットの中間転写ベルトは感光体ドラム１００から離間した位置にある。この状態においては、ベルトにカールぐせがつくのを防止するために、該ベルトの張力は該中間転写ユニットの転写動作時の張力よりも小さく設定する。また、該張力は、装置運搬時の振動などにより該中間転写ベルトが該ベルトを支持しているローラから離脱するのを防止するために、該ベルトが上記振動などにより離脱しない程度の張力に設定する。例えば、該テンションを０Ｎ以上２０Ｎ以下の値に設定し、該テンションを０Ｎに設定する場合にはベルトの弛みが該ベルトが離脱しない程度となるように設定すればよい。この状態では、上述のように、上記レバー５１８の開口部５１８ｂを、中間転写ユニットの前側板に設けた図示しないピンに係合させ、装置運搬時の振動などによって上記カム軸が回転しないようにレバー位置を固定する。
【００３５】
上記中間転写ベルトへの転写動作を行う場合には、該中間転写ユニットは図２に示す第２の状態にする。該第２の状態においては、中間転写ベルトが所定の張力を持って上記感光体ドラム１００に当接した状態となっている。中間転写ユニットがこの第２の状態をとるように操作するには、上記レバー５１８を図２に示す位置に位置するように回転させて、上述のように、該レバー５１８の開口部５１８ｂを、面板５１４に形成した図示しないピンに係合させ、この位置に固定する。このとき、上記レバー５１８の回転によりカム軸５１５ａが回転し、カム５１５がテンションブラケット５１７を押し上げて、上記１次転写バイアスローラ５０７とベルト除電ローラ５１２とが変位し、中間転写ベルト５０１を押し上げる。これにより、図２に示すように中間転写ベルトが感光体ドラム１００に当接した状態となる。
【００３６】
上記転写動作を行うことにより、中間転写ベルト５０１が摩耗などによって交換が必要になった場合には、まず、上記第１の状態をとるように上記レバー５１８を回転及び固定させてから、中間転写ユニット５００を装置本体から取り外す。次にレバー５１８の固定を解除して、該レバーを、図３に示す位置まで回転させる。このレバー５１８の回転によりカム軸５１５ａが回転し、テンションブラケット５１７とともに上記１次転写バイアスローラ５０７とベルト除電ローラ５１２が下がって、ベルト駆動ローラ５０８とベルトテンションローラ５０９との間で中間転写ベルト５０１が略直線の状態となる。この図３に示す第３の状態においては、中間転写ベルトの張力は解除され、弛みが生じた状態となる。通常中間転写ベルトには、図６に示すようにベルトを支持するローラ、図示の例ではベルトテンションローラ５０９の軸方向に上記中間転写ベルトがずれるのを防ぐためにベルト寄り止め部材５２０が設けられている。ベルト脱着の操作性のためには、この寄り止め部材の厚みの分、例えば、１５ｍｍ以上の弛みが生じるように構成するのが望ましい。これにより、ベルトを支持するローラの脱着を行うことなく、ベルトのみを容易に交換することが可能となる。
【００３７】
以上、本実施形態によれば、上記張力可変機構により、テンションブラケット５１７に固定された可動な支持部材としての１次転写バイアスローラ５０７とベルト除電ローラ５１２とを、カム５１５により、３つの位置に変位させるのみで、中間転写ベルト５０１が感光体ドラム１００から離間した位置にある第１の状態と、中間転写ベルト５０１が所定の張力を持って上記感光体ドラム１００に当接した第２の状態と、中間転写ベルト５０１の張力が解除され、弛みが生じた第３の状態とを選択的に取り得る。これにより、中間転写ベルト５０１の張力を解除する張力解除機構と中間転写ベルト５０１と感光体ドラム１００とを接離する接離機構とをそれぞれ設ける場合とは異なり、装置の小型化、簡素化が可能となる。
【００３８】
また、本実施形態によれば、上記中間転写ベルト５０１を感光体ドラム１００から離間したときに、該中間転写ベルト５０１の張力を、上記所定の張力よりも小さく、かつ、該ベルトがベルトを支持する支持体から離脱しない程度の張力に設定するので、該ベルトにカールぐせがつくのを防止することができると共に、装置運搬時の振動などにより該中間転写ベルトが支持ローラから離脱するのを防止することができる。
【００３９】
なお、上記実施形態では、画像形成用部材として、像担持体である感光体ドラム１００を用い、ベルト状部材として、転写体である中間転写ベルト５０１を用いた例について説明したが、本発明は、ベルト状部材として、像担持体である例えば、２つのローラ間に張架され、無端移動する感光体ベルトを用い、画像形成用部材として、転写用の転写ローラを用いた画像形成装置にも適用することができる。
【００４０】
また、上記実施形態では、上記１次転写部のニップ部における１次転写部除電手段として除電ブラシを用いた例について説明したが、本発明は、上記１次転写部除電手段としてブレード、ローラ等の他の形状の部材を用いたものにも適用することができる。
【００４１】
また、上記実施形態では、１次転写電荷付与手段として１次転写バイアスローラを用いた例について説明したが、本発明は、他の形状の１次転写電荷付与手段を採用したものにも適用することができる。
【００４２】
上記実施形態では、１次転写前除電手段としてベルト除電ローラ５１２を用いた例について説明したが、本発明は、このローラに代えてブレード、ブラシなどの他の形状の部材を用いたものにも適用することができる。
【００４３】
上記実施形態では、２次転写電荷付与手段として２次転写バイアスローラを用いた例について説明したが、本発明は、このローラに代えてブレード、ブラシなどの他の形状の部材を用いたものにも適用することができる。
【００４４】
上記実施形態では、２次転写部において転写材を担持する転写材担持体として２次転写ベルト６０１を用いているが、本発明は、このベルトに代えてドラムなどの他の形状の部材を用いたものにも適用することができる。
【００４５】
また、上記実施形態では、感光体ドラム１００の帯電電位が負極性であり、２成分系現像剤を用いた反転現像方式を採用する現像器を備えた場合について説明したが、本発明は、感光体ドラム１００の帯電電位が負極性であるものに限定されることなく、また、１成分系現像剤を用いたものや正規現像方式を採用したものにも同様に適用できるものである。
【００４６】
また、上記実施形態は、中間転写ユニットを備えた画像形成装置に適用した例であるが、例えば、中間転写装置を備えておらず、像担持体から転写ベルトで搬送される転写材としての例えば用紙に直接転写を行う構成の画像形成装置にも同様に適用できるものである。この場合、具体的には、ベルト状部材としては転写ベルトを、画像形成用部材としては像担持体を用いることができる。
【００４７】
【発明の効果】
請求項１乃至３の発明によれば、上記状態変化手段により、上記可動の支持部材を３つの位置に変位させるのみで、上記ベルト状部材が上記所定の張力を持つ状態と、該ベルト状部材を上記画像形成用部材から離間した状態と、該ベルト状部材に、該ベルト状部材が該支持体から取り外せる程度に弛みを持たせた状態とを選択的に取り得るので、ベルト状部材の張力を解除する張力解除機構とベルト状部材と画像形成用部材とを接離する接離機構とをそれぞれ設ける場合とは異なり、装置の小型化、簡素化が可能となるという優れた効果がある。
【００４８】
また、請求項２及び３の発明によれば、上記転写体を上記像担持体から離間したときに、該転写体の張力を、上記所定の張力よりも小さく、かつ、該転写体が該支持体から離脱しない程度の張力に設定するので、転写体にカールぐせがつくのを防止することができると共に、装置運搬時の振動などにより該転写体が支持体から離脱するのを防止することができるという優れた効果がある。
【００４９】
また、請求項３の発明によれば、上記状態変化手段により、上記可動の支持部材を３つの位置に変位させるのみで、上記像担持体からのトナー像の転写が行われる転写体の状態を、上記３つの状態に選択的に変化させることができるので、ベルト状部材の張力を解除する張力解除機構とベルト状部材と画像形成用部材とを接離する接離機構とをそれぞれ設ける場合とは異なり、装置の小型化、簡素化が可能となるという優れた効果がある。
【００５０】
また、請求項４及び５の発明によれば、上記状態変化手段により、上記可動の支持部材を３つの位置に変位させるのみで、上記転写体が上記所定の張力を持つ状態と、該転写体を上記像担持体から離間した状態と、該転写体に、該転写体が該支持体から取り外せる程度に弛みを持たせた状態とを選択的に取り得るので、転写体の張力を解除する張力解除機構と転写体と像担持体とを接離する接離機構とをそれぞれ設ける場合とは異なり、装置の小型化、簡素化が可能となるという優れた効果がある。
【００５１】
特に、請求項５の発明によれば、上記転写体を上記像担持体から離間したときに、該転写体の張力を、上記所定の張力よりも小さく、かつ、該転写体が該支持体から離脱しない程度の張力に設定するので、転写体にカールぐせがつくのを防止することができると共に、装置運搬時の振動などにより該転写体が支持体から離脱するのを防止することができるという優れた効果がある。
【図面の簡単な説明】
【図１】実施形態に係るカラー複写機の中間転写ユニットの説明図。
【図２】同中間転写ユニットの他の説明図。
【図３】同中間転写ユニットの更に他の説明図。
【図４】同中間転写ユニットを有するカラー複写機の一例の概略構成を示す正面図。
【図５】同中間転写ユニットの張力可変機構のレバーの説明図。
【図６】中間転写ベルトのベルト寄り止め部材の説明図。
【符号の説明】
１００      感光体ドラム
２００      帯電チャージャ
３００      感光体クリーニング装置
４００      リボルバ現像ユニット
５００      中間転写ユニット
５０１      中間転写ベルト
５０７      １次転写バイアスローラ
５１２      ベルト除電ローラ
５１４      面板
５１５      カム
５１５ａ    カム軸
５１６      軸
５１７      テンションブラケット
５１８      レバー
６００      紙転写ユニット
７０１      定着ローラ対
【図１】
0003562932.tif 000002
【図２】
0003562932.tif 000003
【図３】
0003562932.tif 000004
【図４】
0003562932.tif 000005
【図５】
0003562932.tif 000006
【図６】
0003562932.tif 000007